(57)【特許請求の範囲】
【請求項１】
Ｎビット（Ｎは正の整数）のディジタル画像データが入力され、このディジタル画像データを、２のＮ乗個の階調の何れかに対応する電圧信号に変換して信号線に出力する電気光学装置の駆動回路であって、
前記ディジタル画像データの各ビット信号をそれぞれ取り込んで保持する複数対のシフトレジスタと、前記シフトレジスタに取り込まれた画像データをＮビットずつＤＡ変換して２のＮ乗個の階調に応じた電圧を発生して前記信号線に供給可能なＤＡコンバータと、前記各対のシフトレジスタのうちいずれか一方のシフトレジスタに取り込まれた画像データを前記ＤＡコンバータへ選択的に供給するためのスイッチ群とを備え、
前記各対のシフトレジスタのうち一方のシフトレジスタに画像データを取り込んでいる間に他方のシフトレジスタに保持されている画像データを前記ＤＡコンバータへ供給する動作を交互に繰り返すように構成されていることを特徴とする電気光学装置の駆動回路。
【請求項２】
前記スイッチ群のスイッチうち前記ＤＡコンバータに最も近いシフトレジスタに保持されている画像データを転送するためのスイッチを除くスイッチは、前記複数対のシフトレジスタ間に配置されていることを特徴とする請求項１に記載の電気光学装置の駆動回路。
【請求項３】
前記各対のシフトレジスタに対応してそれぞれディジタル画像データを取り込み可能な第３のシフトレジスタを備えるとともに、該第３のシフトレジスタとディジタル画像データの入力端子との間および前記第３のシフトレジスタと前記各対のシフトレジスタとの間にそれぞれスイッチが設けられ、当該スイッチが制御されることにより前記入力端子から前記第３のシフトレジスタに画像データを一旦取り込んだ後、取り込まれた画像データ前記各対のシフトレジスタのいずれか一方に転送し、該転送を行なっている間に前記各対のシフトレジスタの他方のシフトレジスタに保持されている画像データを前記ＤＡコンバータへ供給する動作を交互に繰り返すように構成されていることを特徴とする請求項１または２に記載の電気光学装置の駆動回路。
【請求項４】
前記各対のシフトレジスタに対してシフト用クロック信号を選択的に供給するためのスイッチを備えてなることを特徴とする請求項１、２または３に記載の電気光学装置の駆動回路。
【請求項５】
請求項１〜４のいずれかに記載の駆動回路と、複数の画素電極および該画素電極に印加される電圧を供給する信号線と信号線上の電圧が印加される画素を選択するための走査線を有する画素領域とを備え、前記駆動回路により前記信号線に画像データに対応した電圧を供給可能に構成されてなることを特徴とする液晶パネル用基板。
【請求項６】
請求項５に記載の液晶パネル用基板と、対向電極を有する透明基板とが対向して配置されるとともに、前記液晶パネル用基板と前記透明基板との間隙内に液晶が封入されていることを特徴とする液晶パネル。
【請求項７】
光源と、前記光源からの光を変調して透過もしくは反射する請求項６に記載の液晶パネルと、この液晶パネルにより変調された光を集光し拡大投射する投射光学手段とを備えていることを特徴とする投射型表示装置。
【請求項８】
請求項６に記載の液晶パネルを画像表示に用いることを特徴とする電気光学装置。
【請求項９】
請求項８に記載の電気光学装置を備えていることを特徴とする電子機器。
【発明の詳細な説明】
【０００１】
【発明の属する技術分野】
本発明は、電気光学装置の駆動回路、特にＤＡコンバータ（ディジタル−アナログ変換回路）を備えた液晶駆動回路およびこの駆動回路を用いた電気光学装置並びにこの電気光学装置を画像表示に用いた電子機器に関する。
【０００２】
【従来の技術】
従来の電気光学装置の駆動回路には、例えば図１０に示すように、外部のコントロール装置等から端子Ｄ０，Ｄ１，Ｄ２に供給されるディジタル画像データ（以下、単に画像データと称する）を順次取り込んで保持する第１ラッチ回路群ＸＬＴ１−１〜ＸＬＴ３−１および該第１ラッチ回路群に取り込まれた１行分の画像データが転送される第２ラッチ回路群ＸＬＴ１−２〜ＸＬＴ３−２からなるラッチ手段９１と、前記第１ラッチ回路群ＸＬＴ１−１〜ＸＬＴ３−１にデータラインＬ０，Ｌ１，Ｌ２上の画像データを順次取り込むタイミングを与えるクロック信号を外部から供給されるクロックＣＬＫ，／ＣＬＫに基づいて生成するシフトレジスタ９２と、前記第２ラッチ回路群ＸＬＴ１−２〜ＸＬＴ３−２にラッチされた画像データを１画素分（図では３ビット）ずつＤＡ変換して所定の電圧を画素領域の各信号線に供給するＤＡコンバータ９３とから構成されているものがある。
【０００３】
【発明が解決しようとする課題】
前記駆動回路では、外部よりデータラインＬ０，Ｌ１，Ｌ２上にそれぞれ画像データが入力されるが、電気光学装置では前記データラインＬ０，Ｌ１，Ｌ２が数１０ｃｍにも及ぶと共に、データラインＬ０，Ｌ１，Ｌ２と交差する信号線（例えばシフトレジスタ９２から出力されるクロック信号を供給するライン）が多数存在するため、データラインＬ０，Ｌ１，Ｌ２に寄生する容量が半導体集積回路における配線に比べて極めて大きい（大きなものでは１００ｐＦ以上となる）。そのため、データラインＬ０，Ｌ１，Ｌ２の先端に行くほどすなわちデータ入力端子から離れるほど画像データの伝達が遅くなり、シフトレジスタ９２から出力される第１ラッチ回路群ＸＬＴ１−１〜ＸＬＴ３−１へのデータ取り込みタイミングを与えるクロック信号のタイミングマージンが小さくなり、高速の画像データの入力が困難となる。
【０００４】
また、高速の画像データの入力を可能にするには画像データを出力するＩＣの出力インピーダンスを低くしなければならないが、前記のようにデータラインＬ０，Ｌ１，Ｌ２に寄生する容量が大きいと実現が極めて難しくなる。例えば６４０×４８０ドットのＶＧＡ（Ｖｉｄｅｏ  Ｇｒａｐｈｉｃｓ  Ａｒｒａｙ）規格に従った液晶パネルでは画像データ入力信号は２０ＭＨｚ程度、さらに高解像度のＳＶＧＡ（Ｓｕｐｅｒ  Ｖｉｄｅｏ  Ｇｒａｐｈｉｃｓ  Ａｒｒａｙ）規格に従った液晶パネルでは１００ＭＨｚにもなるため、実現が困難である。特に、駆動回路を構成する素子としてポリシリコンＴＦＴを用いる電気光学装置では前記画像データの振幅として最低でも３．３Ｖ以上、望ましくは５Ｖ以上必要であり、このような大振幅の信号で寄生容量の大きなデータラインへ画像データを高速で入力するには画像データを出力するＩＣの駆動力を高めなくてはならず実現がさらに困難になる。
【０００５】
本発明は、前記のような問題を解決するために提案されたものであって、その目的とするところは、外部より高速の画像データの入力が可能な電気光学装置の駆動回路を提供することにある。
【０００６】
本発明の他の目的は、画像データを入力するＩＣの駆動力を下げ、消費電力を低減可能な電気光学装置の駆動回路を提供することにある。
【０００７】
本発明の他の目的は、画素領域の信号線の配線ピッチを小さくすることが可能な電気光学装置の駆動回路を提供することにある。
【０００８】
本発明のさらに他の目的は、画像の左右反転機能を有する電気光学装置において、画像データを記憶したメモリから１行分の画像データを逆方向から読み出すいわゆる逆読出し回路を設けることなく画像の左右反転を可能にする電気光学装置の駆動回路を提供することにある。
【０００９】
【課題を解決するための手段】
前記目的を達成するため、この発明は、従来、外部より入力された画像データを取り込むラッチ回路へのデータ取り込みタイミングを与えるクロック信号を生成するために使用していたシフトレジスタを画像データのラッチ用として使用するように構成したものである。
【００１０】
これによって、画像データの入力端子と画像データを取り込むシフトレジスタまでのデータラインの長さが短くなり、従来のように各ラッチ回路へのラッチタイミングを与えるクロックのタイミング・マージンを考慮しなくても良く、これによって外部より高速で画像データを入力することが可能になるとともに、画像データを入力するＩＣの駆動力を下げ、消費電力を低減可能な電気光学装置の駆動回路を得ることができる。
【００１１】
また、ＤＡコンバータを備えた液晶駆動回路において、前記画像データラッチ用のシフトレジスタを画像データの各ビットごとに一対ずつ設け、いずれか一方のシフトレジスタに外部からの画像データを取り込んでいる間に他方のシフトレジスタに取り込まれている１行分の画像データをＤＡコンバータに同時に転送させるように構成するとともに、この転送用スイッチを各ビットごとのシフトレジスタ間に配置するようにしたものである。
【００１２】
これによって、前記転送用スイッチをすべてＤＡコンバータ側に並べて配置する場合に比べて、画素領域の信号線の配線ピッチを小さくすることが可能な電気光学装置の駆動回路を得ることができる。
【００１３】
さらに、前記一対のシフトレジスタ以外にディレイ用のシフトレジスタを設けるとともに、このディレイ用シフトレジスタと画像データの入力端子との間には画像データの転送のオン、オフ用スイッチを、また前記ディレイ用シフトレジスタと他の一対のシフトレジスタとの間には画像データの転送のオン、オフ用スイッチおよび一対のうちいずれか一方のシフトレジスタとデータ転送可能にするための切換え用のスイッチを設けるようにしたものである。
【００１４】
これによって、前記スイッチを制御してディレイ用シフトレジスタを動作させることで、画像の左右反転機能を有する電気光学装置において、画像データを記憶したメモリから１行分の画像データを逆方向から読み出すいわゆる逆読出し回路を設けることなく、本発明の駆動回路のみによって画像の左右反転を可能にすることができる。
【００１５】
【発明の実施の形態】
図１は、本発明に係る液晶パネルにおける駆動回路の第１の実施例を示す回路構成図である。図１において、１０は画素電極とＴＦＴとからなる複数の画素がマトリックス状に配置されてなる画素領域、２０はいわゆるＸ系すなわち信号線１１を駆動する信号線駆動回路、３０は走査線１２を順番に選択する走査線駆動回路である。この実施例においては、特に限定されるものではないが、前記信号線駆動回路２０は、３ビット（８諧調）のディジタル画像データ用の信号線駆動回路として構成されており、外部のコントロール装置から供給される画像データの各ビットの入力端子Ｄ０，Ｄ１，Ｄ２に対応してそれぞれ一対のシフトレジスタＸＳＲ１−０，ＸＳＲ２−０；ＸＳＲ１−１，ＸＳＲ２−１；ＸＳＲ１−２，ＸＳＲ２−２が設けられている。
【００１６】
ＤＡＣ１〜ＤＡＣｎは画素領域１０内の各信号線１１ごとに設けられた３ビットのＤＡコンバータであり、この実施例においては、前記各対のシフトレジスタＸＳＲ１−０，ＸＳＲ２−０；ＸＳＲ１−１，ＸＳＲ２−１；ＸＳＲ１−２，ＸＳＲ２−２とＤＡコンバータＤＡＣ１〜ＤＡＣｎとの間にそれぞれデータ切換え転送用スイッチＳＷ１−０，ＳＷ２−０；ＳＷ１−１，ＳＷ２−１；ＳＷ１−２，ＳＷ２−２が設けられている。これらのスイッチを外部のコントロール装置から供給される切換え制御信号ＬＡＴによって切り換えることによって、前記各対のシフトレジスタＸＳＲ１−０，ＸＳＲ２−０；ＸＳＲ１−１，ＸＳＲ２−１；ＸＳＲ１−２，ＸＳＲ２−２の中の一方のシフトレジスタから１ビットずつ計３ビットの画像データが各ＤＡコンバータＤＡＣ１〜ＤＡＣｎに供給されてＤＡ変換され、８諧調に対応した電圧を形成して対応する信号線１１に供給するように構成されている。
【００１７】
また、この実施例においては、前記各対のシフトレジスタＸＳＲ１−０，ＸＳＲ２−０；ＸＳＲ１−１，ＸＳＲ２−１；ＸＳＲ１−２，ＸＳＲ２−２は、対ごとにそれぞれ画像データ入力端子Ｄ０，Ｄ１，Ｄ２に接続され、ＸＳＲ１−０，ＸＳＲ１−１，ＸＳＲ１−２は外部のコントロール装置から供給されるクロック信号ＣＬＫ１，／ＣＬＫ１によって、またＸＳＲ２−０，ＸＳＲ２−１，ＸＳＲ２−２はクロック信号ＣＬＫ２，／ＣＬＫ２によってそれぞれラッチとシフト動作を行ない、画像データ入力端子Ｄ０，Ｄ１，Ｄ２から順次画像データを１ビットずつ取り込んで反対側へシフトして行くように動作する。
【００１８】
図１に示されているようにこの実施例では、シフトレジスタＸＳＲ１−０，ＸＳＲ２−０；ＸＳＲ１−１，ＸＳＲ２−１；ＸＳＲ１−２，ＸＳＲ２−２とＤＡコンバータＤＡＣ１〜ＤＡＣｎとの間のデータ転送を制御するスイッチのうちＳＷ１−０，ＳＷ２−０とＳＷ１−１，ＳＷ２−１は、それぞれシフトレジスタＸＳＲ２−０とＸＳＲ１−１との間およびＸＳＲ２−１とＸＳＲ１−２との間に設けられている。これらのスイッチはシフトレジスタＸＳＲ２−２とＤＡコンバータＤＡＣ１〜ＤＡＣｎとの間に配置することも可能であるが、前記のようにシフトレジスタ間に配置することにより、ＤＡコンバータ側に配置する場合に比べて画素領域の信号線の配線ピッチを小さくすることが可能となり、画素領域を高集積化できるという利点がある。
【００１９】
さらに、基板上に画素領域および駆動回路を形成する場合においても、画像データの入力端子Ｄ０，Ｄ１，Ｄ３を図１に示す回路に対応して基板の右側に位置させるようにすると良い。従来は一般に画像データの入力端子を基板の左側に配置して入力端子から近い側から遠い側へシフトさせるようにしているため、外部のコントロール装置は画像データを記憶したメモリから１行分の画像データを読み出す際に逆読出しを行なう必要があるが、画像データ入力端子を基板の右側に位置させることにより、逆読出しする必要がなくなってメモリからの画像データの読出し方法が簡単になるという利点がある。
【００２０】
次に前記信号線駆動回路２０の動作を図２のタイミングチャートを用いて説明する。外部に設けられたコントロール装置等から３ビットの画像データＶＤ０，ＶＤ１，ＶＤ２が画像データ入力端子Ｄ０，Ｄ１，Ｄ２に並列に順次入力されるとともに、前記画像データＶＤ０，ＶＤ１，ＶＤ２と同期したクロック信号ＣＬＫ１，／ＣＬＫ１またはＣＬＫ２，／ＣＬＫ２が信号線駆動回路２０に入力される。この実施例では、外部のコントロール装置等から供給される切換え制御信号ＬＡＴは、画像データの１行分ごとにハイレベルとロウレベルとに変化されるとともに、クロック信号ＣＬＫ１，／ＣＬＫ１とＣＬＫ２，／ＣＬＫ２は、切換え制御信号ＬＡＴに対応して、一方がクロックを刻んでいる間、他方は休止するように形成される。
【００２１】
これによって、例えば切換え制御信号ＬＡＴがロウレベルのときには、入力された画像データＶＤ０，ＶＤ１，ＶＤ２はクロック信号ＣＬＫ１，／ＣＬＫ１によってシフトレジスタＸＳＲ１−０，ＸＳＲ１−１，ＸＳＲ１−２に順次取り込まれてシフトされ、切換え制御信号ＬＡＴがハイレベルのときには、入力された画像データＶＤ０，ＶＤ１，ＶＤ２はクロック信号ＣＬＫ２，／ＣＬＫ２によってシフトレジスタＸＳＲ２−０，ＸＳＲ２−１，ＸＳＲ２−２に順次取り込まれシフトされる。
【００２２】
そして、切換え制御信号ＬＡＴによって切換え制御スイッチＳＷ１−０〜ＳＷ２−２が制御されることで、一方のシフトレジスタＸＳＲ１−０，ＸＳＲ１−１，ＸＳＲ１−２が画像データを取り込んでいるとき（切換え制御信号ＬＡＴがロウレベル）は、他方のシフトレジスタＸＳＲ２−０，ＸＳＲ２−１，ＸＳＲ２−２に取り込まれている画像データがＤＡコンバータＤＡＣ１〜ＤＡＣｎに転送され、シフトレジスタＸＳＲ２−０，ＸＳＲ２−１，ＸＳＲ２−２が画像データを取り込んでいるとき（切換え制御信号ＬＡＴがハイレベル）は、他方のシフトレジスタＸＳＲ１−０，ＸＳＲ１−１，ＸＳＲ１−２に取り込まれている画像データがＤＡコンバータＤＡＣ１〜ＤＡＣｎに転送される。これを繰り返すことで１画面分の画像データをＤＡ変換した電圧が、次々と画素領域１０内の信号線１１に供給される。
【００２３】
なお、前記ＤＡコンバータＤＡＣ１〜ＤＡＣｎの出力の切換えに同期して、画素領域１０では、図示しない走査線側（Ｙ系）の駆動回路によって走査線１２が順番に選択レベル（ハイレベル）に駆動され、選択された走査線に接続された画素のＴＦＴがオン状態とされて、対応する画素電極に信号線１１の電圧が印加されるように動作する。
【００２４】
図３には図１の信号線駆動回路２０を構成するシフトレジスタＸＳＲのより具体的な実施形態が、また図４にはそのシフトレジスタの動作例が示されている。なお、図３は図１の信号線駆動回路の１０段分を示し、図４はこの１０段のシフトレジスタに６ビットのデータを取り込んだ場合のタイミングを示す。図３に示すように、シフトレジスタＸＳＲの１段は、入力用のクロックド・インバータと互いに入力端子と出力端子が結合された一対のインバータからなるラッチ回路とにより構成されており、ラッチ回路を構成する帰還用のインバータはクロックド・インバータとされ、当該ラッチ回路の入力用インバータと逆相のクロックによって動作される。また、奇数段のラッチ回路の入力用インバータは共に同一のクロックＣＬＫ１によって動作され、偶数段のラッチ回路の入力用インバータは共に同一で奇数段とは逆相のクロック／ＣＬＫ１によって動作されるように構成されている。
【００２５】
前記のような構成のシフトレジスタによれば、画像データの入力端子と画像データを取り込むシフトレジスタまでのデータラインの長さが短くなり、従来のように各ラッチ回路へのラッチタイミングを与えるクロックのタイミング・マージンを考慮しなくても済むようになって外部より高速で画像データを入力することが可能になる。また、前記実施例の信号線駆動回路においては、図  の従来の信号線駆動回路と異なりデータラインＬ０，Ｌ１，Ｌ２よりもクロック信号の供給ラインの方が長くなるが、図２を参照すると明らかなように、クロック信号の周波数は画像データの周波数の１／２であるため、画像データほど高速性が要求されないので、画像データやクロックを出力するＩＣ（コントローラ）の駆動力を図１０の信号線駆動回路を使用した場合ほど高める必要はなく、消費電力の増大およびＩＣのコストアップを抑えることができる。
【００２６】
図５は、本発明に係る液晶パネルにおける信号線駆動回路の第２の実施例を示す回路構成図である。この実施例の信号線駆動回路は、表示の左右反転を容易にする構成を備えたもので、図１の実施例の信号線駆動回路と同様に、３ビットのディジタル画像データ用の信号線駆動回路として構成されているが、外部のコントロール装置から供給される画像データの各ビットの入力端子Ｄ０，Ｄ１，Ｄ２に対応してシフトレジスタＸＳＲ１−０，ＸＳＲ２−０；ＸＳＲ１−１，ＸＳＲ２−１；ＸＳＲ１−２，ＸＳＲ２−２の他にディレイ用のシフトレジスタＸＳＲ３−０，ＸＳＲ３−１，ＸＳＲ３−２がそれぞれ設けられている。
【００２７】
この実施例においても、シフトレジスタＸＳＲ１−０，ＸＳＲ２−０；ＸＳＲ１−１，ＸＳＲ２−１；ＸＳＲ１−２，ＸＳＲ２−２とＤＡコンバータＤＡＣ１〜ＤＡＣｎとの間のデータ転送を制御するスイッチのうちＳＷ１−０，ＳＷ２−０とＳＷ１−１，ＳＷ２−１は、それぞれシフトレジスタＸＳＲ２−０とＸＳＲ１−１との間およびＸＳＲ２−１とＸＳＲ１−２との間に設けられている。
【００２８】
また、この実施例の信号線駆動回路は、前記ディレイ用のシフトレジスタＸＳＲ３−０，ＸＳＲ３−１，ＸＳＲ３−２と画像データ入力端子Ｄ０，Ｄ１，Ｄ２との間に、データの転送のオン、オフを行なうスイッチＳＷ１１，ＳＷ１２，ＳＷ１３がそれぞれ設けられている。さらに、ディレイ用のシフトレジスタＸＳＲ３−０，ＸＳＲ３−１，ＸＳＲ３−２と他の一対のシフトレジスタＸＳＲ１−０，ＸＳＲ２−０；ＸＳＲ１−１，ＸＳＲ２−１；ＸＳＲ１−２，ＸＳＲ２−２との間にそれぞれ画像データの転送のオン、オフ用スイッチＳＷ２１，ＳＷ２２，ＳＷ２３および一対のうちいずれか一方のシフトレジスタとデータ転送可能にするための切換え用のスイッチＳＷ３１，ＳＷ３２，ＳＷ３３が設けられている。
【００２９】
そして、この実施例では、シフト用のクロックＣＬＫ，／ＣＬＫの供給のオン、オフを行なうスイッチＳＷ４１，ＳＷ４２；ＳＷ４３，ＳＷ４４が、クロック入力端子とシフトレジスタＸＳＲ１−０，ＸＳＲ２−０；ＸＳＲ１−１，ＸＳＲ２−１；ＸＳＲ１−２，ＸＳＲ２−２との間に設けられており、スイッチＳＷ４１，ＳＷ４２とＳＷ４３，ＳＷ４４は外部のコントロール装置等から供給されるスイッチ制御信号ＣＳＷ，／ＣＳＷによって相補的にオン、オフされるように構成されている。
【００３０】
このスイッチＳＷ４１，ＳＷ４２；ＳＷ４３，ＳＷ４４によって、シフトレジスタＸＳＲ１−０，ＸＳＲ１−１，ＸＳＲ１−２にクロックＣＬＫ，／ＣＬＫが供給されているときはシフトレジスタＸＳＲ２−０，ＸＳＲ２−１，ＸＳＲ２−２へはクロックの供給が遮断され、シフトレジスタＸＳＲ２−０，ＸＳＲ２−１，ＸＳＲ２−２にクロックＣＬＫ，／ＣＬＫが供給されているときはシフトレジスタＸＳＲ１−０，ＸＳＲ１−１，ＸＳＲ１−２へのクロックの供給が遮断される。一方、ディレイ用のシフトレジスタＸＳＲ３−０，ＸＳＲ３−１，ＸＳＲ３−２には常時クロックＣＬＫ，／ＣＬＫが供給可能にされている。
【００３１】
また、スイッチＳＷ１１，ＳＷ１２，ＳＷ１３，ＳＷ２１，ＳＷ２２，ＳＷ２３は、外部のコントロール装置から供給される制御信号Ｒ／Ｌによって同時にオン状態またはオフ状態に制御されるように構成されている。そして、シフトレジスタＸＳＲ１−０，ＸＳＲ２−０；ＸＳＲ１−１，ＸＳＲ２−１；ＸＳＲ１−２，ＸＳＲ２−２はこの制御信号Ｒ／Ｌによってシフト方向が制御され、スイッチＳＷ１１〜ＳＷ２３がオフのときは図１の実施例と同様に右から左へシフト動作し、スイッチＳＷ１１〜ＳＷ２３がオンのときは前記とは逆に左から右へシフト動作するように構成されている。
【００３２】
次に、この実施例の信号線駆動回路におけるシフトレジスタの動作を図６を用いて説明する。表示の左右反転を行ないたい場合には、前記ディレイ用のシフトレジスタＸＳＲ３−０，ＸＳＲ３−１，ＸＳＲ３−２と画像データ入力端子Ｄ０，Ｄ１，Ｄ２との間に設けられたスイッチＳＷ１１，ＳＷ１２，ＳＷ１３がオン状態にされると共に、前記ディレイ用のシフトレジスタＸＳＲ３−０，ＸＳＲ３−１，ＸＳＲ３−２とシフトレジスタＸＳＲ１−０，ＸＳＲ２−０；ＸＳＲ１−１，ＸＳＲ２−１；ＸＳＲ１−２，ＸＳＲ２−２との間のスイッチＳＷ２１，ＳＷ２２，ＳＷ２３がオン状態とされる。
【００３３】
これをシフトレジスタＸＳＲ１−０，ＸＳＲ２−０，ＸＳＲ３−０について図示すると図６（Ａ）に示すようになる。なお、スイッチＳＷ３１（ＳＷ３２，ＳＷ３３も同様）はシフトレジスタＸＳＲ２−０（ＸＳＲ２−１，ＸＳＲ２−２）側に接続されているが、１行分のデータ転送が終了すると、スイッチＳＷ１１（ＳＷ１２，ＳＷ１３），ＳＷ２１（ＳＷ２２，ＳＷ２３）はオンのまま、ＳＷ３１はシフトレジスタＸＳＲ１−０（ＸＳＲ１−１，ＸＳＲ１−２）側に接続される。図６（Ａ）のように、入力端子Ｄ０（Ｄ１，Ｄ２）より入力された画像データはシフトレジスタＸＳＲ３−０（ＸＳＲ３−１，ＸＳＲ３−２）に順次取り込まれ、シフトレジスタＸＳＲ１−０またはＸＳＲ２−０（ＸＳＲ１−１またはＸＳＲ２−１；ＸＳＲ１−２またはＸＳＲ２−２）へ転送され、図１の実施例とは逆方向（図において左から右方向）にシフトされる。これによって、画像データが記憶されたメモリからの読出し順序を変更することなく表示の反転を行なわせることができる。
【００３４】
なお、表示の左右反転を行なわずに、図１の実施例と同様な表示を行ないたい場合には、図６（Ｂ）に示すように、ディレイ用のシフトレジスタＸＳＲ３−０（ＸＳＲ３−１，ＸＳＲ３−２）と入力端子Ｄ０（Ｄ１，Ｄ２）との間に設けられたスイッチＳＷ１１（ＳＷ１２，ＳＷ１３）およびディレイ用のシフトレジスタＸＳＲ３−０（ＸＳＲ３−１，ＸＳＲ３−２）とシフトレジスタＸＳＲ１−０，ＸＳＲ２−０（ＸＳＲ１−１，ＸＳＲ２−１；ＸＳＲ１−２，ＸＳＲ２−２）との間に設けられたスイッチＳＷ２１（ＳＷ２２，ＳＷ２３）をオフ状態にしておいて画像データをシフトレジスタＸＳＲ１−０またはＸＳＲ２−０（ＸＳＲ１−１，ＸＳＲ２−１；ＸＳＲ１−２，ＸＳＲ２−２も同様）に取り込むようにすればよい。
【００３５】
従来の電気光学装置において表示の左右反転を行なう場合には、外部のコントロール装置がソフトウェアによって画像データの読出し方向を変える必要があったため、ソフトウェアの負担が大きくなるとという不具合があったが、前記実施例の信号線駆動回路を適用することにより、コントロール装置はスイッチＳＷ１１〜ＳＷ２３を制御する信号Ｒ／Ｌのみを形成すれば良いので、ソフトウェアの負担が大幅に軽減されるという利点がある。
【００３６】
図７には、図５の実施例の信号線駆動回路の動作タイミングの一例が示されている。図７を図２と比較すると明らかなように、図５の実施例の信号線駆動回路はシフトレジスタの動作に必要なクロックが１種類で済むという利点がある。これは、クロック供給を切り換えるスイッチＳＷ４１，ＳＷ４２；ＳＷ４３，ＳＷ４４によって、シフトレジスタＸＳＲ１−０，ＸＳＲ１−１，ＸＳＲ１−２にクロックＣＬＫ，／ＣＬＫが供給されているときはシフトレジスタＸＳＲ２−０，ＸＳＲ２−１，ＸＳＲ２−２へはクロックの供給が遮断され、シフトレジスタＸＳＲ２−０，ＸＳＲ２−１，ＸＳＲ２−２にクロックＣＬＫ，／ＣＬＫが供給されているときはシフトレジスタＸＳＲ１−０，ＸＳＲ１−１，ＸＳＲ１−２へのクロックの供給が遮断されるように制御されるためである。データ切換え転送用スイッチＳＷ１−０，ＳＷ２−０；ＳＷ１−１，ＳＷ２−１；ＳＷ１−２，ＳＷ２−２を制御する信号ＬＡＴはスイッチＳＷ４１，ＳＷ４２；ＳＷ４３，ＳＷ４４を制御する信号ＳＷ（または／ＳＷ）と共用させるようにすることも可能である。
【００３７】
図８に本発明に係る信号線駆動回路の他の実施例が示されている。この実施例は、図１の実施例の信号線駆動回路を変形したものである。すなわち、図１の実施例におけるシフトレジスタＸＳＲ２−０，ＸＳＲ２−１，ＸＳＲ２−２を、シフト機能を有しないレジスタＸＬＴ１−２，ＸＬＴ２−２，ＸＬＴ３−２に置き換えるとともに、図１の実施例において、シフトレジスタＸＳＲ１−０，ＸＳＲ２−０；ＸＳＲ１−１，ＸＳＲ２−１；ＸＳＲ１−２，ＸＳＲ２−２とＤＡコンバータＤＡＣ１〜ＤＡＣｎとの間にそれぞれ設けられているデータ切換え転送用スイッチＳＷ１−０，ＳＷ２−０；ＳＷ１−１，ＳＷ２−１；ＳＷ１−２，ＳＷ２−２をそれぞれシフトレジスタＸＳＲ１−１、ＸＳＲ２−１，ＸＳＲ３−１とレジスタＸＬＴ１−２，ＸＳＲ２−２ＸＬＴ３−２との間に設けるようにしたものである。
【００３８】
この実施例においては、シフト用のクロック信号を１種類にすることができるという利点がある。ただし、シフトレジスタＸＳＲ１−１、ＸＳＲ２−１，ＸＳＲ３−１にラッチされたデータをレジスタＸＬＴ１−２，ＸＳＲ２−２ＸＬＴ３−２に転送する間はこれらのシフトレジスタへの新たな画像データの取り込みはできないのでタイミングをずらしてやる必要がある。
【００３９】
図９に本発明に係る信号線駆動回路のさらに他の実施例が示されている。この実施例は、図５の実施例の信号線駆動回路を、図１の実施例から図８の実施例の信号線駆動回路に変形したのと同様に変形したものである。すなわち、図５の実施例におけるシフトレジスタＸＳＲ１−２，ＸＳＲ２−２，ＸＳＲ３−２を単純なレジスタＸＬＴ１−２，ＸＬＴ２−２，ＸＬＴ３−２に置き換えるとともに、図１の実施例において、シフトレジスタＸＳＲ１−０，ＸＳＲ２−０；ＸＳＲ１−１，ＸＳＲ２−１；ＸＳＲ１−２，ＸＳＲ２−２とＤＡコンバータＤＡＣ１〜ＤＡＣｎとの間にそれぞれ設けられているデータ切換え転送用スイッチＳＷ１−０，ＳＷ２−０；ＳＷ１−１，ＳＷ２−１；ＳＷ１−２，ＳＷ２−２をそれぞれシフトレジスタＸＳＲ１−１、ＸＳＲ２−１，ＸＳＲ３−１とレジスタＸＬＴ１−２，ＸＳＲ２−２ＸＬＴ３−２との間に設けるようにしたものである。
【００４０】
この実施例においては、図５の実施例に比べてスイッチおよび制御信号を減らすことができるという利点がある。ただし、シフトレジスタＸＳＲ１−１、ＸＳＲ２−１，ＸＳＲ３−１にラッチされたデータをレジスタＸＬＴ１−２，ＸＳＲ２−２ＸＬＴ３−２に転送する間はこれらのシフトレジスタへの新たな画像データの取り込みはできないので、図８の実施例と同様にタイミングをずらしてやる必要がある。
【００４１】
以上、画像データが３ビットの場合の信号線駆動回路の実施例を説明したが、本発明はこれに限定されるものでなく、画像データが６ビットその他の場合にも適用することができる。すなわち、画像データのビット数の分だけシフトレジスタの組を設けてやれば良い。
【００４２】
次に、上述した信号線駆動回路を備えた液晶パネル用基板を用いた電気光学装置や、当該電気光学装置を持つ、携帯型コンピュータ，液晶プロジェクタ等の電子機器の実施形態について説明する。
【００４３】
図１１に例示するように、電気光学装置としての液晶表示装置８５０は、バックライト８５１、偏光板８５２、液晶パネル用基板（ＴＦＴ基板）８５３、液晶８５４、対向電極およびカラーフィルタを有する対向基板８５５、および偏光板８５６がこの順で重ねられて構成される。本実施形態では、上述したように、ＴＦＴ基板８５３上に画素領域と前記実施例の駆動回路８７８が形成されている。
【００４４】
図１２に例示するように、携帯型コンピュータ８６０は、キーボード８６１を備えた本体部８６２と、液晶表示画面８６３とを有している。
【００４５】
図１３に例示するように、液晶プロジェクタ８７０は、透過型液晶パネルをライトバルブとして用いた投写型プロジェクタであり、たとえば３板プリズム方式の光学系が用いられる。図１３におけるプロジェクタ８７０では、白色光源のランプユニット８７１から照射された投写光がライトガイド８７２の内部で、複数のミラー８７３および２枚のダイクロイックミラー８７４によってＲ，Ｇ，Ｂの３原色に分けられ、それぞれの色の画像を表示する３枚の液晶パネル８７５，８７６，８７７に導かれる。そして、それぞれの液晶パネル８７５，８７６，８７７によって変調された光は、ダイクロックプリズム８７８に３方向から入射される。ダイクロックプリズム８７８では、Ｒ（レッド）およびＢ（ブルー）の光が９０°曲げられ、Ｇ（グリーン）の光が直進するので、各色の画像が合成され、投写レンズ８７９を通してスクリーンなどにカラー画像が投写される。
【００４６】
その他、本発明が適用可能な電子機器としては、エンジニアリング・ワークステーション、ページャあるいは携帯電話、ワードプロセッサ、テレビ、ビューファインダ型またはモニタ直視型のビデオカメラ、電子手帳、電子卓上計算機、カーナビゲーション装置、ＰＯＳ端末、タッチパネルを備えた種々の装置を挙げることができる。
【００４７】
【発明の効果】
以上説明したように、本発明に係る駆動回路は、外部より入力された画像データを取り込む回路としてシフトレジスタを使用するように構成したので、画像データの入力端子と画像データを取り込むシフトレジスタまでのデータラインの長さが短くなり、従来のように各ラッチ回路へのラッチタイミングを与えるクロックのタイミング・マージンを考慮しなくても良く、これによって外部より高速で画像データを入力することが可能になるとともに、画像データを入力するＩＣの駆動力を下げ、消費電力を低減可能な液晶表示装置の駆動回路を得ることができるという効果がある。
【００４８】
また、ＤＡコンバータを備えた液晶駆動回路において、前記画像データラッチ用のシフトレジスタを画像データの各ビットごとに一対ずつ設け、いずれか一方のシフトレジスタに外部からの画像データを取り込んでいる間に他方のシフトレジスタに取り込まれている１行分の画像データをＤＡコンバータに同時に転送させるように構成するとともに、この転送用スイッチを各ビットごとのシフトレジスタ間に配置するようにしたので、前記転送用スイッチをすべてＤＡコンバータ側に並べて配置する場合に比べて、画素領域の信号線の配線ピッチを小さくすることができるという効果がある。
【００４９】
さらに、前記一対のシフトレジスタ以外にディレイ用のシフトレジスタを設けるとともに、このディレイ用シフトレジスタと画像データの入力端子との間には画像データの転送のオン、オフ用スイッチを、また前記ディレイ用シフトレジスタと他の一対のシフトレジスタとの間には画像データの転送のオン、オフ用スイッチおよび一対のうちいずれか一方のシフトレジスタとデータ転送可能にするための切換え用のスイッチを設けるようにしたので、前記スイッチを制御してディレイ用シフトレジスタを動作させることで、画像の左右反転機能を有する液晶表示装置において、画像データを記憶したメモリから１行分の画像データを逆方向から読み出すいわゆる逆読出し回路を設けることなく、本発明の駆動回路のみによって画像の左右反転を可能にすることができるという効果がある。
【図面の簡単な説明】
【図１】本発明に係る液晶表示装置の駆動回路の一実施例を示す回路構成図である。
【図２】図１の信号線駆動回路の動作タイミングを示すタイミングチャートである。
【図３】図１の信号線駆動回路のシフトレジスタの具体例を示す論理構成図である。
【図４】図３のシフトレジスタの動作タイミングを示すタイミングチャートである。
【図５】本発明に係る液晶表示装置の駆動回路の第２の実施例を示す回路構成図である。
【図６】図５の実施例の信号線駆動回路の機能を示す機能説明図である。
【図７】図５の実施例の信号線駆動回路の動作タイミングを示すタイミングチャートである。
【図８】本発明に係る液晶表示装置の駆動回路の第３の実施例を示す回路構成図である。
【図９】本発明に係る液晶表示装置の駆動回路の第４の実施例を示す回路構成図である。
【図１０】従来の液晶表示装置の駆動回路の構成例を示す回路構成図である。
【図１１】本発明の液晶表示装置の一実施例を示す説明図である。
【図１２】本発明の電子機器の一実施形態としての携帯型コンピュータを示す説明図である。
【図１３】本発明の電子機器の一実施形態としてのプロジェクタを示す説明図である。
【符号の説明】
１０    画素領域
１１    信号線
１２    走査線
２０    信号線駆動回路
３０    走査線駆動回路
ＸＳＲ  シフトレジスタ
ＸＬＴ  レジスタ
ＳＷ    スイッチ
ＤＡＣ  ＤＡコンバータ
Ｄ０，Ｄ１，Ｄ２  画像データ入力端子
【図１】
0003627536.tif 000002
【図２】
0003627536.tif 000003
【図３】
0003627536.tif 000004
【図４】
0003627536.tif 000005
【図５】
0003627536.tif 000006
【図６】
0003627536.tif 000007
【図７】
0003627536.tif 000008
【図８】
0003627536.tif 000009
【図９】
0003627536.tif 000010
【図１０】
0003627536.tif 000011
【図１１】
0003627536.tif 000012
【図１２】
0003627536.tif 000013
【図１３】
0003627536.tif 000014